(57)【特許請求の範囲】
【請求項１】
少なくとも１つの釣針が設けられた幹糸に繋ぐための結合部と、
前記結合部の下方にて撒き餌を保持するコマセ保持部と、
前記コマセ保持部より下方に向って延びて形成され、前記コマセ保持部を水中で移動させる際、弾性変形した状態で水底に接しながら前記コマセ保持部を水底から浮いた状態で支持する支持材からなるコマセ支持部とを備えることを特徴とするコマセ保持具。
【請求項２】
請求項１に記載したコマセ保持具において、
前記コマセ保持部は、線状体を螺旋状に巻き回した略コイル状に形成され、
前記コマセ支持部は、前記支持材が鋼材からなるワイヤで構成されたコマセ保持具。
【請求項３】
請求項１または請求項２に記載したコマセ保持具において、
前記コマセ支持部は、前記支持材が２つ以上で構成されるコマセ保持具。
【請求項４】
請求項１ないし請求項３のうちのいずれか１つに記載したコマセ保持具において、さらに、
前記釣針および前記コマセ保持部を水中に沈めるための錘部を備えるコマセ保持具。
【発明の詳細な説明】
【技術分野】
【０００１】
本発明は、魚釣り用の仕掛けとして用いられ、幹糸上に設けられた少なくとも１つ以上の釣針の周辺に撒き餌をするための餌を保持するコマセ保持具に関する。
【背景技術】
【０００２】
従来から、水底付近を泳ぐ魚、例えば、川底付近を泳ぐ鮎を釣る方法として撒き餌を用いた釣り方がある。撒き餌を用いた釣り方は、１つまたは複数の釣針の周囲に複数の餌を散在させて、これらの餌に紛れた釣針に魚を掛からせる釣り方である。このような水底付近を泳ぐ魚を撒き餌を用いて釣る場合、釣針の周囲に確実に餌を散在させるため、撒き餌となる複数の餌を保持した釣用仕掛けが用いられる。
【０００３】
水底付近を泳ぐ魚を撒き餌を用いて釣る釣用仕掛けにおいて、撒き餌となる複数の餌を保持する釣具として本発明者は、下記特許文献１に示すようなコマセ保持具を提案した。具体的には、図４に示すように、コマセ保持具１は、複数の餌Ｂ（破線で示す）を保持するためのコマセ保持部２と、同コマセ保持部２を沈降させるための錘３と、同コマセ保持部２を水底から浮かせた状態で支持するための棒状のコマセ支持部４とを備えている。このコマセ保持具１は、図示しない釣竿の竿先から垂下するとともに釣針５が枝状に設けられた幹糸６の先端部に取り付けられている。
【特許文献１】実用新案登録第３０６７０６５号公報
【０００４】
そして、川底などの水底付近を泳ぐ魚を釣る際には、餌Ｂを保持するコマセ保持部２をコマセ支持部４によって水底から浮かせた状態で支持するとともに、同コマセ支持部４を引き摺って移動させることにより、コマセ保持部４を含むコマセ保持具１を川の流れに沿って移動させる。この場合、コマセ保持部２に保持された餌Ｂは、川の流れによって解されてコマセ保持部２から放出される。これにより、釣針５の周囲に複数の大量の餌Ｂが散在して、これらの餌Ｂに紛れた釣針に魚が掛かる。
【０００５】
しかしながら、上記したコマセ保持具１においては、コマセ支持部４が剛性のある針状の棒体で構成されているため、コマセ支持部４を水底上を引きずる際、水底上に存在する石と石との間にコマセ支持部４が挟まってコマセ支持具１が移動不能となる所謂根掛りが生じることがあった。また、コマセ支持部６を引きずる際の振動が釣糸などを通じて魚信を感知するための浮きや釣り人に伝わり、魚の口に釣針を掛からせる所謂合わせ操作を誤り易いという問題があった。
【発明の開示】
【０００６】
本発明は上記問題に対処するためなされたもので、その目的は、水底付近を泳ぐ魚を撒き餌を用いて釣る釣用仕掛けにおいて、釣用仕掛けが根掛りし難くいとともに、釣りにおける合わせ操作が行い易いコマセ保持具を提供することにある。
【０００７】
上記目的を達成するため、請求項１に係る発明の特徴は、少なくとも１つの釣針が設けられた幹糸に繋ぐための結合部と、結合部の下方にて撒き餌を保持するコマセ保持部と、コマセ保持部より下方に向って延びて形成され、コマセ保持部を水中で移動させる際、弾性変形した状態で水底に接しながらコマセ保持部を水底から浮いた状態で支持する支持材からなるコマセ支持部とを備えることにある。
【０００８】
また、請求項２に係る発明は、前記コマセ保持具において、コマセ保持部は、線状体を螺旋状に巻き回した略コイル状に形成され、コマセ支持部は、支持材が鋼材からなるワイヤで構成されたことにある。
【０００９】
このように構成した請求項１および請求項２に係る発明の特徴によれば、撒き餌を保持するコマセ保持部を水底から浮いた状態で支持するためのコマセ支持部を、弾性を有する支持材によって構成している。この場合、コマセ支持部を構成する支持材は、コマセ保持部を水中で水底から浮いた状態で移動させる際、コマセ保持部の重さで弾性変形する程度の弾性を備えた柔軟な素材で構成されている。このため、コマセ支持部は、水底の形状に応じて柔軟に変形しながら引き摺られる。したがって、コマセ支持部が水底上を引き摺られる際、水底上に存在する石と石との間にコマセ支持部が挟まり難くなるとともに、コマセ支持部が水底上に存在する石と石との間に挟まった場合であっても釣竿を左右前後に振ることによって根掛りから容易に脱することができる。また、コマセ支持部を引き摺る際の振動もコマセ支持部自身で吸収されるため釣り人が魚信を感知し易くなり、所謂合わせ操作が行い易くなる。
【００１０】
また、請求項３に係る発明の特徴は、前記各コマセ保持具において、コマセ支持部は、支持材が２つ以上で構成されたことにある。このように構成した請求項３に係る発明の特徴によれば、コマセ支持部は、２つ以上の支持材によって構成している。これにより、水中において撒き餌を保持したコマセ保持部を安定した状態で支持することができるとともに、より一層根掛りを防止することができる。特に、石が多い川底においては、コマセ支持部が石を乗り越え易くなるため、コマセ支持具を釣り人が意図する方向に移動させ易くなる。なお、従来技術に係るコマセ保持具においては、コマセ支持部が一つの支持材によって構成されているため、コマセ支持部は石を乗り越えることなく同石の両端方向にずれることが多かった。このため、コマセ保持具が釣り人の意図しない方向に急に移動して魚を散らす一因となっていたとともに、移動した先で根掛りすることがあった。
【００１１】
また、請求項４に係る発明の特徴は、前記各コマセ保持具において、さらに、釣針およびコマセ保持部を水中に沈めるための錘部を備えたことにある。このように構成した請求項４に係る発明の特徴によれば、コマセ支持具は錘を備えているため、コマセ支持具を含む釣用仕掛けを水中に投入した際、早期に釣針やコマセ保持部を水底に向って沈めることができる。なお、この場合、錘部は、コマセ保持部とコマセ支持部との間に配置するとよい。
【発明を実施するための最良の形態】
【００１２】
以下、本発明に係るコマセ保持具の一実施形態について図面を参照しながら説明する。図１は、本発明に係るコマセ保持具を備えた釣用仕掛けの全体構成を示す図である。なお、本明細書において参照する各図は、本発明の理解を容易にするために一部の構成要素を誇張して表わすなど模式的に表している。このため、各構成要素間の寸法や比率などは異なっていることがある。本実施形態に係るコマセ保持具２０を備えた釣用仕掛け１０は、川底付近を泳ぐ魚、例えば、鮎を撒き餌を用いて釣る際に用いられるものである。
【００１３】
（コマセ保持具２０の構成）
釣用仕掛け１０は、釣竿１１の先端部から垂下する釣糸１２に浮き１３、釣針１４およびコマセ保持具２０を備えて構成されている。釣竿１１は、釣用仕掛け１０を釣り人が所望するポイントに投入するための道具であり、弾力性を有する細長い棒状に形成されている。本実施形態においては、長さ約５ｍ、竿の硬さが所謂中調で構成されたカーボンファイバ製の釣竿（鮎などの川魚を餌釣りで釣る際に多用される釣竿）を釣竿１１として用いる。
【００１４】
釣竿１１の先端部には、釣糸１２の一方の端部が結ばれている。釣糸１２は、主として釣竿１１と釣針１４とを繋ぐための糸であり、透明で引っ張り強さのある素材で構成されている。本実施形態においては、釣糸の太さを表わす号数が１号のポリアミド系樹脂（所謂ナイロン）で構成された釣糸を釣糸１２として用いる。釣糸１２における中央部分には、浮き止め１３ａを介して浮き１３が設けられている。
【００１５】
浮き１３は、釣針１４を一定の水深に保つとともに、同釣針１４に魚が食いついたこと、すなわちアタリを釣り人に感知させるための道具であり、浮力を有する構造で構成されている。本実施形態においては、樹脂製の中空球体の表面から１本の軸が突出した所謂玉浮きを浮き１３として用いる。浮き止め１３ａは、浮き１３を釣糸１２上における任意の位置に固定するためのゴム製の道具であり、浮き１３の表面から突出した軸に対応する内径の円筒状に形成されている。この浮き止め１３ａには、前記釣糸１２が貫通した状態で通されているとともに、浮き１３の表面から突出した軸が通される。これにより、浮き止め１３ａ、すなわち、浮き１３を釣糸１２上の任意に位置に移動させて固定することができる。
【００１６】
釣糸１２における浮き１３の下方には、２つの釣針１４が設けられている。釣針１４は、魚の口に引っ掛けて釣り上げるための道具であり、略Ｊ字状に形成されている。本実施形態においては、釣針の大きさを表わす号数が１.５号の２つの釣針を釣針１４として用いる。また、２つの釣針１４は、釣糸１２上において約１０ｃｍの間隔を介して設けられるとともに、約３ｃｍのハリスを介して釣糸１２から枝状に張り出して設けられている。すなわち、釣糸１２は、釣針１４が釣糸１２上から枝状に設けられる所謂幹糸である。釣糸１２上における釣針１４の下方であって同釣針１２の他方の端部には、本願発明に係るコマセ保持具２０が設けられている。
【００１７】
コマセ保持具２０は、前記釣針１４の周囲に撒き餌をするための餌を保持するための道具であり、詳しくは図２に示すように、結合部２１、コマセ保持部２２、錘部２３およびコマセ支持部２４を備えている。これらのうち結合部２１は、釣糸１２における他方の端部とコマセ保持部２２とを繋ぐための部材、所謂ヨリモドシである。コマセ保持部２２は、撒き餌となる餌Ｂ（破線で示す）を保持する部分であり、中心軸２２ａとコイル部２２ｂとを備えている。これらのうち中心軸２２ａは、直線状に形成されたステンレス製の軸体である。また、コイル部２２ｂは、中心軸２２ａの外側に配置されたステンレス製の螺旋体である。このコイル部２２ｂは、螺旋体の中央部の径が両端部の径より大きい形状、換言すればコイル２２ｂの軸線方向の断面形状が略楕円形状に形成されている。また、本実施形態においては、コイル部２２ｂにおける軸線方向の長さは、約３ｃｍである。
【００１８】
コマセ保持部２２の下方には、錘部２３が設けられている。錘部２３は、前記釣針１４およびコマセ保持部２２を水中に沈めるための錘である。本実施形態においては、球体に形成されるとともに中央部に貫通孔を有する重さ０.６ｇの鉛玉を錘部２３として用いる。錘部２３の下方には、コマセ支持部２４が設けられている。
【００１９】
コマセ支持部２４は、前記コマセ保持部２２を水中に沈めた後、水底上を移動させる際、コマセ保持部２２を水底から浮かせた状態で支持するための部材であり、２つの支持材２４ａによって構成されている。支持材２４ａは、コマセ保持部２２を水底から浮かせた状態で支持する際、コマセ保持部２２などの重さによって弾性変形（撓み変形）するワイヤ状の素材で形成されている。本実施形態においては、直径約０.５ｍｍ、長さ約５ｃｍのステンレス製ワイヤを支持材２４ａとして用いる。また、支持材２４ａは、先端部が互いに外側に広がった形状にそれぞれ形成されている。
【００２０】
（コマセ保持具２０の作動）
次に、このように構成されたコマセ保持具２０を含む釣用仕掛け１０の作動について説明する。まず、釣用仕掛け１０を用いる者、すなわち、釣り人（図示せず）は、コマセ保持具２０におけるコマセ保持部２２に撒き餌となる餌Ｂを付ける。この場合、餌Ｂは、釣りの対象となる魚の好む食べ物を細かく刻んだ集合物である。釣り人は、団子状にした餌Ｂをコマセ保持部２２のコイル部２２ｂ内に押し込むとともに、同コイル部２２ｂを覆う状態で餌Ｂを付ける。なお、この場合、２つの釣針１４には餌を付けないが、付けても構わない。
【００２１】
次に、釣り人は、釣糸１２上における浮き１３の位置を適宜調整した後、釣竿１１を操作してコマセ保持具２０を含む釣用仕掛け１０を釣り場における所望するポイントに投入する。この場合、釣用仕掛け１０を投入するポイントは、川の流れにおける釣り人の立ち位置よりも上流側である。また、この場合、コマセ保持具２０を構成するコマセ支持部２４が弾性体によって構成されているため、コマセ保持具２０の着水時における着水音と水跳ねが従来例に比べて小さくすることができる。これにより、釣用仕掛け１０を投入したポイント付近に居る魚を散らすことを防止することができる。
【００２２】
釣り人の所望するポイントに投入された釣用仕掛け１０は、川の流れに流されながら主として錘部２３の重さによって川底に向って沈む。水中における釣用仕掛け１０は、川面Ｓを流される浮き１３による張力と、川底に沈んで静止する錘部２３とによって同川の流れの下流側に向って引っ張られた状態となる。
【００２３】
次に、釣り人は、図３（Ａ）に示すように、釣竿１１を操作して水中におけるコマセ支持部２４を引き摺りながら釣用仕掛け１０を川の流れの下流側に向って移動させる。なお、図３（Ａ）〜（Ｃ）において、川の流れは矢印で示すように図示左側から図示右側に向けて流れている。この場合、コマセ支持部２４を構成する２つの支持材２４ａは、それぞれ撓んだ状態で川底に接しながらコマセ保持部２２を川底から浮いた状態で支持する。すなわち、コマセ支持部２４は、水底の形状に応じて柔軟に変形しながら水底上を引き摺られる。したがって、コマセ支持部２４が水底上を引き摺られる際、水底上に存在する石と石との間にコマセ支持部２４が挟まり難くなるとともに、コマセ支持部２４が水底上に存在する石と石との間に挟まった場合であっても釣竿１１を左右前後に振ることによって根掛りから容易に脱することができる。
【００２４】
また、コマセ支持部２４を構成する２つの支持材２４ａは、それぞれ撓んだ状態で川底に接している。このため、支持材２４ａは、線接触または面接触で川底と接することになる。この点、従来例に係るコマセ保持具１においては、コマセ支持部４は点接触で川底と接している。したがって、本発明に係るコマセ保持具２０は、従来例に比べて摩擦抵抗が大きくなる。これにより、水中内のコマセ保持具２０のふらつきを抑えて安定した状態で支持することができる。
【００２５】
また、コマセ保持部２２は、コマセ支持部２４を構成する２つの支持材２４ａによって支持されている。このため、流れのある水中において餌Ｂを保持したコマセ保持部２２を安定した状態で支持することができるとともに、より一層根掛りを防止することができる。特に、石が多い川底においては、コマセ支持部２４が石を乗り越え易くなるため、コマセ保持部２２が釣り人の意図しない方向に急に移動して魚を散らすことを防止できるとともに、移動した先で根掛りすることを防止することができる。これらにより、コマセ保持具２０を含む釣用仕掛け１０を釣り人が意図する方向に移動し易くなる。なお、本実施形態においては、コマセ支持部２４を構成する２つの支持材２４ａは、互いに外側に広がった形状に形成されているため、より安定した状態でコマセ保持部２２を支持することができる。
【００２６】
一方、川底から浮いた状態のコマセ保持部２２に保持された餌Ｂは、川の流れによって解されてコマセ保持部２２のコイル部２２ｂから徐々に離脱する。コマセ保持部２２のコイル部２２ｂから放出された餌Ｂは、図３（Ｂ）に示すように、川の流れに沿って拡散して釣針１４の周囲に散在する。これにより、図３（Ｃ）に示すように、釣用仕掛け１０の周囲を泳ぐ魚が釣針１４の周辺に集まり餌Ｂに紛れた釣針１４に食い付く。釣針１４に魚が食い付いた所謂アタリは、釣糸１２を介して浮き１３に伝わり浮き１３の浮き沈みとして現れる（図では浮き１３が沈んだ状態を示す）。釣り人は、浮き１３の挙動を監視しながら魚信を感知した場合には、釣竿１１を振り上げて釣針１４に魚を掛からせる所謂合わせ操作を行う。このような魚信の感知から合わせまでの過程においても、コマセ支持部２４を引き摺る際の振動がコマセ支持部２４自身の弾性変形により吸収されるため、浮き１３による魚信の感知がし易くなり、所謂合わせ操作が行い易くなる。
【００２７】
釣針１４に魚が掛かった場合には、釣り人は、釣竿１１を適宜操作して釣用仕掛け１０を手元に寄せて釣針１４に掛かった魚を捕獲する。一方、釣針１４に魚が掛からず釣用仕掛け１０が川の流れにおける釣り人より下流側に流された場合には、釣り人は、釣竿１１を操作して釣用仕掛け１０を水中から抜き出し釣用仕掛け１０を手元に寄せて回収する。このような魚の取り込みの際、または釣用仕掛け１０の回収の際においては、コマセ保持具２０のコマセ支持部２４が弾力性を有する素材で構成されているため、コマセ保持具２０を掴む際のコマセ支持具２４の手への衝撃が小さくなりコマセ保持具２０が掴み易い。そして、再度、釣りを行う場合には、前記と同じ手順でコマセ保持部２２に餌Ｂを付けた後、釣用仕掛け１０を川の中における所望するポイントに投入する。このような、釣用仕掛け１０の投入と抜き出しを繰り返しながら魚釣りが行われる。
【００２８】
上記作動説明からも理解できるように、上記実施形態によれば、撒き餌となる餌Ｂを保持するコマセ保持部２２を水底から浮いた状態で支持するためのコマセ支持部２４を、弾性を有する支持材２４ａによって構成している。この場合、支持材２４ａは、コマセ保持部２２を水中で水底から浮いた状態で移動させる際、コマセ保持部２２の重さで弾性変形する程度の弾性を備えた柔軟な素材で構成されている。このため、コマセ支持部２４は、水底の形状に応じて柔軟に変形しながら引き摺られる。したがって、コマセ支持部２４が水底上を引き摺られる際、水底上に存在する石と石との間にコマセ支持部２４が挟まり難くなるとともに、コマセ支持部２４が水底上に存在する石と石との間に挟まった場合であっても釣竿１１を左右前後に振ることによって根掛りから容易に脱することができる。また、コマセ支持部２４を引き摺る際の振動もコマセ支持部２４自身で吸収されるため釣り人が魚信を感知し易くなり、所謂合わせ操作が行い易くなる。
【００２９】
また、コマセ支持部２４は、２つ以上の支持材２４ａによって構成している。これにより、水中において餌Ｂを保持したコマセ保持部２２を安定した状態で支持することができるとともに、より一層根掛りを防止することができる。特に、石が多い川底においては、コマセ支持部が石を乗り越え易くなるため、コマセ保持具２０を釣り人が意図する方向に移動させ易くなる。なお、従来技術に係るコマセ保持具１においては、コマセ支持部４が一つの支持材によって構成されているため、コマセ支持部４は石を乗り越えることなく同石の両端方向にずれることが多かった。このため、コマセ保持具１が釣り人の意図しない方向に急に移動して魚を散らす一因となっていたとともに、移動した先で根掛りすることがあった。
【００３０】
さらに、本発明の実施にあたっては、上記実施形態に限定されるものではなく、本発明の目的を逸脱しない限りにおいて種々の変更が可能である。
【００３１】
例えば、上記実施形態においては、釣糸１２上に２つの釣針１４を備えて釣用仕掛け１０を構成した。しかし、釣糸１２上に設けられる釣針１４の数は、これに限定されるものではない。すなわち、釣糸１２上に少なくとも１つ以上の釣針１４を備えていればよい。
【００３２】
また、上記実施形態においては、コマセ保持部２２を螺旋状に巻き回されたコイル部２２ａによって構成した。しかし、コマセ保持部２２は、撒き餌となる餌Ｂを保持するとともに、水中で餌Ｂを放出できる構成であれば、上記実施形態に限定されるものではない。例えば、コマセ保持部２２を網状の籠で構成してもよい。これによっても、上記実施形態と同様の効果が期待できる。
【００３３】
また、上記実施形態においては、ステンレス製のワイヤからなる２つの支持材２４ａを用いてコマセ支持部２４を構成した。しかし、コマセ支持部２４は、コマセ保持部２２を水中で移動させる際、弾性変形した状態で水底に接しながらコマセ保持部２２を水底から浮いた状態で支持する支持材で構成すれば、上記実施形態に限定されるものではない。例えば、ゴムや樹脂などを用いて支持材２４ａを構成してもよいし、支持材２４ａを短冊状などの平板状に形成してもよい。また、支持材２４ａの数も上記実施形態に限定されるものではなく、例えば、支持材２４ａを１つとしてもよいし３つ以上としてもよい。これらによっても、上記実施形態と同様の効果が期待できる。
【００３４】
また、上記実施形態においては、コマセ保持部２２の下方に錘部２３を備えてコマセ保持具２０を構成した。しかし、コマセ保持具２０が水中に投入された後、沈降する構成であれば必ずしも錘部２３は必要ではない。例えば、コマセ保持具２０とは別にコマセ保持具２０を沈降させるための錘部２３を釣用仕掛け１０に備えるように構成してもよいし、コマセ保持部２２の重さを錘部２３の重さと同等の重さに構成してもよい。これらによっても、上記実施形態と同様の効果が期待できる。
【００３５】
また、上記実施形態においては、本発明に係るコマセ保持具２０を川での魚釣りに適用したが、当然、これに限定されるものではない。すなわち、本発明に係るコマセ保持具２０は、水底付近を泳ぐ魚を撒き餌を用いて釣る釣用仕掛け１０に広く適用できるものである。例えば、湖沼、海または管理釣り場などで用いることができる。
【図面の簡単な説明】
【００３６】
【図１】本発明の一実施形態に係るコマセ保持具を備える釣用仕掛けの全体構成を模式的に示す図である。
【図２】図１に示す釣用仕掛けにおけるコマセ保持具の全体構成を示す図である。
【図３】（Ａ）〜（Ｃ）は本発明一実施形態に係るコマセ保持具の使用状態を説明するための説明図であり、（Ａ）はコマセ保持具を水中に投入して移動させる際の状態を示す図であり、（Ｂ）はコマセ保持具から餌が放出されて状態を示す図であり、（Ｃ）はコマセ保持具から放出された餌に紛れた釣針に魚が食い付いた状態を示す図である。
【図４】従来例に係るコマセ保持具の全体構成を示す図である。
【符号の説明】
【００３７】
Ｓ…川面、Ｂ…餌、１０…釣用仕掛け、１１…釣竿、１２…釣糸、１３…浮き、１３ａ…浮き止め、１４…釣針、２０…コマセ保持具、２１…結合部、２２…コマセ保持具、２２ａ…中心軸、２２ｂ…コイル部、２３…錘部、２４…コマセ支持部、２４ａ…支持材。
【要約】
【課題】水底付近を泳ぐ魚を撒き餌を用いて釣る釣用仕掛けにおいて、釣用仕掛けが根掛りし難くいとともに、釣りにおける合わせ操作が行い易いコマセ保持具を提供する。
【解決手段】コマセ保持具２０は、２つの釣針１４が枝状に設けられた釣糸１２に繋ぐための結合部２１と、釣針１４に撒き餌を行うための餌Ｂを保持するためのコマセ保持部２２と、コマセ保持部２２を沈降させるための錘部２３と、コマセ保持部２２の下方に向って延びるステンレス製の２つのワイヤ材によって構成されるコマセ支持部２４とを備えている。コマセ支持部２４は、コマセ保持部２２を水中で移動させる際、コマセ保持部２２の重さなどにより弾性変形可能に形成されており、水底に接しながらコマセ保持部２２を水底から浮いた状態で支持する。
【選択図】  図２【図１】
0004219966.tif 000002
【図２】
0004219966.tif 000003
【図３】
0004219966.tif 000004
【図４】
0004219966.tif 000005